【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
大動脈または他の循環器内腔の血圧を向上し、血流を生成し増強するための循環支援装置であって、
細長いバルーンカテーテルに接合された近位端部を有する膨張可能ポンプバルーンと、
前記ポンプバルーンから遠位端方向に延在するセグメント、前記バルーンカテーテルおよび前記バルーンカテーテルの周囲を取り巻くスリーブチューブのいずれか一つに設置され、半径方向に拡張可能な拡張可能フレームとを備え、
前記細長いバルーンカテーテルは、前記ポンプバルーンに接合された遠位端部と、前記循環器内腔から患者の体外まで延在し、ポンプから前記ポンプバルーンを膨張または収縮させる正または負の圧力パルスを受けるために十分な長さだけ前記遠位端部から離隔した近位端部とを有し、
前記拡張可能フレームは、前記循環器内腔で拡張するように操作され、前記膨張可能ポンプバルーンを前記循環器内腔から離隔させるように機能し、腔内移動のための折りたたみ構成における第１の直径と、前記第１の直径より大きく、前記操作を通じて達成された拡張構成における第２の直径とを有し、
前記拡張可能フレームは、前記ポンプバルーンから近位側に配置されており、
前記拡張可能フレームは、逆止弁を含むことを特徴とする循環支援装置。
【請求項２】
前記拡張可能フレームは、閉塞デバイスを含むことを特徴とする請求項１に記載の循環支援装置。
【請求項３】
前記閉塞デバイスは、前記拡張可能フレームの内側の表面に取り付けられた膜であることを特徴とする請求項２に記載の循環支援装置。
【請求項４】
前記閉塞デバイスは、バルーンであることを特徴とする請求項３に記載の循環支援装置。
【請求項５】
前記バルーンは、前記拡張可能フレームの付近に配置された前記閉塞バルーンであることを特徴とする請求項４に記載の循環支援装置。
【請求項６】
前記バルーンは、前記膨張可能ポンプバルーンと流動的に接続される追加のポンプバルーンであることを特徴とする請求項１に記載の循環支援装置。
【請求項７】
前記追加のポンプバルーンが前記拡張可能フレーム内に配置され、かつ、前記拡張可能フレームに囲まれていることを特徴とする請求項６に記載の循環支援装置。
【請求項８】
前記バルーンカテーテルは、前記ポンプバルーンと流動的に接続された少なくとも１つのポンピングルーメンと前記ポンプバルーンから流動的に分離された少なくとも一つの非ポンピングルーメンを含む複数のルーメンチューブからなることを特徴とする請求項１に記載の循環支援装置。
【請求項９】
前記逆止弁は、前記拡張可能フレームの内表面に取り付けられたより大きなベース部分および狭いネック部分を有し、前記拡張可能フレームの前記ネック部分側からの血流に応じて前記拡張可能フレームの中央部に折りたたまれる、双曲面の先端を切り取った形状のバルブリーフレットを備えることを特徴とする請求項１６に記載の循環支援装置。
【請求項１０】
前記逆止弁は、略半球状の弁からなり、血流側に凸面を有し、下流の血流を阻害しないように凹面上で自由に折りたたまれるように構成されていることを特徴とする請求項１に記載の循環支援装置。
【請求項１１】
前記半球状の弁の前記凸面またはその他の部分が、前記拡張可能フレームの内表面の相当な部分に縫製、鋳造または接着により固定され、前記半球状の弁が、前記凸面に衝突する軸方向の血流に応じて下流方向に折りたたまれることを特徴とする請求項１０に記載の循環支援装置。
【請求項１２】
前記付帯的な膨張可能バルーン手段は、球形、逆円錐形または任意の三次元形状および前記弁状のセンタリング手段の環状直径に比べて小さい直径を有することを特徴とする請求項４に記載の循環支援装置。
【手続補正２】
【補正対象書類名】明細書
【補正対象項目名】００３０
【補正方法】変更
【補正の内容】
【００３０】
図３は、拡張／展開時に細長い籠状の形状となるように形成され、または前処理が施された２つの拡張可能フレームの概略図である。
【手続補正３】
【補正対象書類名】図面
【補正対象項目名】全図
【補正方法】変更
【補正の内容】
【図１ａ】
2016524937.tif 000001
【図１ｂ】
2016524937.tif 000002
【図１ｃ】
2016524937.tif 000003
【図１ｄ】
2016524937.tif 000004
【図１ｅ】
2016524937.tif 000005
【図１ｆ】
2016524937.tif 000006
【図１ｇ】
2016524937.tif 000007
【図１ｈ】
2016524937.tif 000008
【図１ｉ】
2016524937.tif 000009
【図１ｊ】
2016524937.tif 000010
【図１ｋ】
2016524937.tif 000011
【図１ｌ】
2016524937.tif 000012
【図１ｍ】
2016524937.tif 000013
【図１ｎ】
2016524937.tif 000014
【図１ｏ】
2016524937.tif 000015
【図１−１】
2016524937.tif 000016
【図２ａ】
2016524937.tif 000017
【図２ｂ】
2016524937.tif 000018
【図２ｃ】
2016524937.tif 000019
【図３】
2016524937.tif 000020
【図４ａ】
2016524937.tif 000021
【図４ｂ】
2016524937.tif 000022
【図５ａ】
2016524937.tif 000023
【図５ｂ】
2016524937.tif 000024
【図５ｃ】
2016524937.tif 000025
【図５ｄ】
2016524937.tif 000026
【図５ｅ】
2016524937.tif 000027
【図５ｆ】
2016524937.tif 000028
【図６ａ】
2016524937.tif 000029
【図６ｂ】
2016524937.tif 000030
【図７ａ】
2016524937.tif 000031
【図７ｂ】
2016524937.tif 000032
【図８ａ】
2016524937.tif 000033
【図８ｂ】
2016524937.tif 000034
【図９ａ】
2016524937.tif 000035
【図９ｂ】
2016524937.tif 000036
【図１０ａ】
2016524937.tif 000037
【図１０ｂ】
2016524937.tif 000038
【図１１ａ】
2016524937.tif 000039
【図１１ｂ】
2016524937.tif 000040
【図１２ａ】
2016524937.tif 000041
【図１２ｂ】
2016524937.tif 000042
【図１２ｃ】
2016524937.tif 000043
【図１３ａ】
2016524937.tif 000044
【図１３ｂ】
2016524937.tif 000045
【図１４ａ】
2016524937.tif 000046
【図１４ｂ】
2016524937.tif 000047
【図１５ａ】
2016524937.tif 000048
【図１５ｂ】
2016524937.tif 000049
【図１６ａ】
2016524937.tif 000050
【図１６ｂ】
2016524937.tif 000051
【図１７ａ】
2016524937.tif 000052
【図１７ｂ】
2016524937.tif 000053
【図１８ａ】
2016524937.tif 000054
【図１８ｂ】
2016524937.tif 000055
【図１９ａ】
2016524937.tif 000056
【図１９ｂ】
2016524937.tif 000057
【図１９ｃ】
2016524937.tif 000058
【図１９ｄ】
2016524937.tif 000059
【図１９ｅ】
2016524937.tif 000060
【図１９ｆ】
2016524937.tif 000061
【図２０ａ】
2016524937.tif 000062
【図２０ｂ】
2016524937.tif 000063
【図２１】
2016524937.tif 000064
【図２１−１】
2016524937.tif 000065